(57)【要約】      （修正有）【課題】バーコード、生産者、鶏卵のサイズ、消費期限などを印刷したラベルを挿入して、外から視認し得る鶏卵容器を提供する。【解決手段】鶏卵を収容する身部分１と、屈曲自在の連結部３を介して身部分１と連結された蓋部分２とよりなる鶏卵容器において、身部分１には、複数の鶏卵を離間させた状態で保持する隔壁12と、この隔壁12が十字形に交叉する部分に形成された角錐台形または円錐台形の第１の突出部14〜17とを有し、蓋部分２には、内側に配置されるラベルＬを視認可能な平坦面20および側壁21を有し、閉蓋状態において、身部分１の長手方向両端の２つの第１の突出部14、17に対向する位置に形成された角錐台形または円錐台形の２つの第２の突出部24、27を有し、鶏卵を入れた開蓋状態において、ラベルＬは、蓋部分２の側壁21と２つの第２の突出部24、27とにより位置決めされて、各鶏卵と蓋部分の平坦面20との間に保持される。【選択図】図１
2019073316.tif 000002
【特許請求の範囲】
【請求項１】
複数の鶏卵を収容する身部分と、該身部分の一側辺に屈曲自在の連結部を介して連結さ
れた蓋部分とよりなる鶏卵容器において、
上記身部分には、複数の鶏卵を互いに離間させた状態で保持する隔壁と、該隔壁が十字
形に交叉する部分に形成された角錐台形または円錐台形の第１の突出部とを有し、
上記蓋部分には、内側に配置されるラベルを視認可能な平坦面および側壁を有し、閉蓋
状態において、身部分の長手方向両端の上記２つの第１の突出部に対向する位置に形成さ
れた角錐台形または円錐台形の２つの第２の突出部を有し、
鶏卵を入れた開蓋状態において、ラベルは、蓋部分の側壁と上記２つの第２の突出部と
により位置決めされて、各鶏卵と蓋部分の平坦面との間に保持されることを特徴とする鶏
卵容器。
【請求項２】
蓋部分に形成した第２の突出部は、縦方向に裁断した裁断面を有し、両裁断面が内側を
向いて対向するように配置されていることを特徴とする請求項１に記載の鶏卵容器。
【発明の詳細な説明】
【技術分野】
【０００１】
この発明は、鶏卵を包装、輸送、販売するために使用する鶏卵容器に関し、特にバーコ
ード（ＰＯＳマーク）、生産者、鶏卵のサイズ、消費期限などを印刷したラベルを挿入し
て、外から視認し得るように構成したものである。
【背景技術】
【０００２】
合成樹脂シートを成型した鶏卵容器は、身部分と、蓋部分と、これら２つの部分を屈曲
自在に連結する連結部分とからなり、身部分および蓋部分には、隔壁によって仕切られ、
各隔壁の交叉部に角錐台形または円錐台形の突出部が形成された複数個（例えば、５個２
列で１０個）の鶏卵を入れる収納凹部およびフランジ部が形成されている。
【０００３】
このような鶏卵容器においては、身部分および蓋部分に凹凸が有って、ラベルを貼り付
けることが困難であった。そこで、下記特許文献１に記載のように、蓋部分にラベルを貼
り付け得る平坦面を形成した鶏卵容器が提案されている。
【０００４】
この平坦面に貼り付けるラベルＬは、紙または合成樹脂シートなどの表面に、バーコー
ド（ＰＯＳマーク）、生産者、鶏卵の大きさ（Ｌ、Ｍ、Ｓ）、消費期限などが印刷された
もので、裏面には粘着層が形成されている。
【０００５】
このような粘着層を有するラベルは、高価なものであって、また、使用済みの鶏卵容器
を回収して再生原料として使用する際に、貼着されたラベルの剥離に多大の手数を要し、
しかも、剥がすときに粘着層の糊残りが生じてリサイクルを困難にするという問題があっ
た。
【０００６】
そこで、鶏卵容器の中に鶏卵とともに粘着層を有しない紙などのラベルを挿入するよう
に構成した鶏卵容器が提案されている。
【０００７】
例えば、下記特許文献２に開示された鶏卵容器は、透明な合成樹脂シートを成型したも
のであって、図５の平面図および図６の断面図に示すように、身部分１には、複数の収容
凹部11と、隣接する収容凹部11の間に形成された隔壁部12と、隔壁部12が十字形に交叉す
る部分に上向きに形成された突出部14〜17を備え、さらに、収容凹部11の周囲にフランジ
19が形成されている。
【０００８】
身部分１と屈曲自在な連結部分３を介して一体に形成された蓋部分２は、閉蓋状態にお
いて平坦な天面となる平面面20と、この平坦面20の周囲に形成された四面の側壁21と、こ
れら側壁21で囲まれる開口の周囲にフランジ29が形成されている。
【０００９】
この蓋部分２のフランジ29は、閉蓋状態において、身部分１のフランジ19と重なり合わ
さって、粘着テープなどによる封緘に利用される。
【００１０】
身部分１の収容凹部11は、鶏卵Ｅの下部（鋭端側）を収納し得る大きさおよび形状を有
しており、閉蓋状態において、鶏卵Ｅの上部（球形側）と閉じた蓋部分２の天面20の内面
が接近してラベルＬを保持するものである。
【先行技術文献】
【特許文献】
【００１１】
【特許文献１】実用新案登録第２５１００２７号公報
【特許文献２】特開２０１７−１９５５０号公報
【発明の概要】
【発明が解決しようとする課題】
【００１２】
鶏卵を入れた容器は、梱包、輸送、店舗における陳列の際に、複数段に積み重ねて取り
扱われており、荷崩れや鶏卵の破損を防ぐためにも積み重ねに耐え得る強度が必要である
。
【００１３】
上記特許文献２に開示された鶏卵容器においては、蓋部分２の天面となる平面部20に突
出部を設けない代わりに、身部分１から蓋部分２の平面部20に到達する高さの突出部140
〜170を形成して、閉蓋状態においてラベルを天面に押しつけて保持させており、この突
出部140〜170の高さは、従来の鶏卵容器に比してほぼ２倍の高さである。
【００１４】
この突出部は、閉蓋状態においてラベルを保持するとともに、蓋部分２の天面20を支え
ることで、積み重ねに耐え得る強度を付与することもできる。
【００１５】
しかし、合成樹脂シートを真空成型またはブロー成型して、このように高い突出部を形
成すると、厚み方向に大きく引き伸ばされるので薄くなり、鶏卵容器を複数段で積み重ね
た際に、突出部が支柱の機能を果たせなくなる。そのために、原材料の合成樹脂シートに
、従来の鶏卵容器の製造に使用されているシートより厚いものを使用しなければならずコ
スト・アップになっていた。
【００１６】
また、このような合成樹脂シートを成型して高い突出部を形成するには、高度な技術を
要しなければ実現できず、歩留まりを向上させることは容易ではない。
【００１７】
未使用の鶏卵容器は、開蓋状態で数百枚積み重ねて段ボールで梱包した後に、輸送され
る。このように高い突出部が存在すると、ケース内において突出部周辺が大きなデッドス
ペースとなり、突出部が輸送による衝撃を受けやすく、大きく変形してしまうことがあっ
た。
【課題を解決するための手段】
【００１８】
この発明の鶏卵容器は、複数の鶏卵を収容する身部分と、この身部分の一側辺に屈曲自
在の連結部を介して連結された蓋部分とよりなる鶏卵容器において、
上記身部分には、複数の鶏卵を互いに離間させた状態で保持する隔壁と、この隔壁が十
字形に交叉する部分に形成された角錐台形または円錐台形の第１の突出部とを有し、
上記蓋部分には、内側に配置されるラベルを視認可能にする平坦面および側壁を有し、
閉蓋状態において、身部分の長手方向両端の２つの上記第１の突出部に対向する位置に形
成された角錐台形または円錐台形の２つの第２の突出部を有し、
鶏卵を入れた開蓋状態において、ラベルは、蓋部分の長手方向の側壁と上記２つの第２
の突出部とにより位置決めされて、各鶏卵と蓋部分の平坦面との間に保持される。
【００１９】
この発明の鶏卵容器の他の実施形態は、蓋部分に形成した第２の突出部が、縦方向に裁
断した裁断面を有し、両裁断面が内側を向いて対向するように配置されている。
【発明の効果】
【００２０】
この発明の鶏卵容器によると、身部分から蓋部分の天面部を支える高い突出部を備える
ことなく、廉価に製造することができるとともに、容器の変形による鶏卵の破損を軽減す
ることができ、かつ、未使用の鶏卵容器を輸送する際も突出部を変形することなく輸送す
ることができる。また、封入されたラベルも蓋部分の長手方向の側壁と２つの突出部とに
より安定的に位置決めされる。
【図面の簡単な説明】
【００２１】
【図１】この発明の第１の実施形態の鶏卵容器の内面を示す斜視図、
【図２】第１の実施形態の鶏卵容器を示す平面図、
【図３】第１の実施形態の鶏卵容器の外面を示す斜視図、
【図４】この発明の第２の実施形態の鶏卵容器の内面を示す斜視図、
【図５】従来の鶏卵容器の一例を示す平面図、
【図６】従来の鶏卵容器の一例を示す断面図である。
【発明を実施するための形態】
【００２２】
この発明の第１の実施形態の鶏卵容器は、図１の斜視図および図２の平面図に示すよう
に、合成樹脂シートを成型して、複数個の鶏卵を互いに離間させた状態で保持する収納凹
部11を有する身部分１と、この身部分１と屈曲自在な連結部分３を介して連結された蓋部
分２とよりなる鶏卵容器において、原材料の合成樹脂シートの厚みを厚くすることなく、
ラベルを視認し易い場所に安定的に配置可能であり、かつ積み重ねたときに荷崩れするこ
となく、運搬に耐え得る強度を有するように構成したものである。
【００２３】
この発明の鶏卵容器の身部分１には、複数の鶏卵を互いに離間させた状態で、例えば５
個づつ２列に１０個の鶏卵を保持するように、隔壁12によって仕切られた複数の鶏卵を入
れる収納凹部11が形成されており、各隔壁12が十字形に交叉する部分には、角錐台形また
は円錐台形の突出部14〜17が長手方向に４個配列されており、収納凹部11の周囲にはフラ
ンジ部19が形成されている。
【００２４】
図１および図２に示すように、蓋部分２には、閉蓋状態において、身部分１の長手方向
両端の２つの突出部14、17に対向する位置に角錐台形または円錐台形の２つの突出部24、
27が下向きに形成されている。これら２つの突出部24、27は、角錐台形または円錐台形の
中心線からずれた面で縦方向に裁断した形状を有し、それらの裁断面241、271は内側を向
いて対向するように配置されている。
【００２５】
さらに、蓋部分２には、閉蓋状態において、身部分１の両端の２つの突出部14、17を除
く中間の突出部15、16に対向する位置には、突出部を形成することなく、鶏卵とともに入
れられたラベルＬを保持する平坦面20が形成されている。
【００２６】
蓋部分２の周囲にはフランジ部29が形成されており、閉蓋状態においては、身部分１の
フランジ部19と重なり合うものであって、粘着テープなどによる封緘に使用する。
【００２７】
図３の外面の斜視図に示すように、蓋部分２の平坦面20の外側の四隅には、四分の一円
形の凸条28が形成されており、鶏卵を入れた状態で鶏卵容器を積重ねたとき、身部分１の
収納凹部11の外側に突出した四隅の先端部111が、四分の一円形の凸条28の中に嵌まって
横滑りすることなく、荷崩れしないように構成されている。
【００２８】
身部分１の各収納凹部11に鶏卵を入れて、開蓋状態の蓋部分２の平坦面20にラベルＬを
入れて蓋部分２を閉じると、ラベルＬは、各鶏卵と蓋部分２の平坦面20との間に保持さ
れ、蓋部分２の側壁21と２つの突出部24、27により囲まれて位置決めされる。
【００２９】
このように構成された鶏卵容器を複数段に積み重ねても、蓋部分２の平坦面20に２つの
突出部24、27を設けているので、この２つの突出部24、27が身部分の２つの突出部14、17
と突き合わさって柱状体を形成するので、蓋部分の平坦面20に荷重がかかることなく、上
層段の荷重を下層段に伝達できるから、入れられた鶏卵を破損することはないのである。
【００３０】
（第２の実施の形態）
以上で説明した第１の実施形態においては、蓋部分２の平坦面20に設けた角錐台形また
は円錐台形の２つの突出部24、27は、その中心線からずれた面で縦方向に裁断した形状を
有し、それらの裁断面241、271は内側を向いて対向するように配置されているが、第２の
実施形態においては、図４の斜視図に示すように、２つの突出部240、270に裁断面241、2
71を形成しないように構成したものである。
【００３１】
身部分１の各収納凹部11に鶏卵を入れて、開蓋状態の蓋部分２の平坦面20にラベルＬを
入れて蓋部分２を閉じると、ラベルＬは、各鶏卵と蓋部分２の平坦面20との間に保持され
、蓋部分の側壁21と２つの突出部240、270の側面とにより位置決めされる。
【００３２】
なお、ラベルＬとして、長方形のものに限ることなく、図４に示すように、蓋部分２の
２つの突出部240、270に嵌まる切欠きＬ2を形成して位置決めしてもよいのである。
【符号の説明】
【００３３】
１  身部分
11  収納凹部
12  隔壁
14〜17  突出部
19、29  フランジ部
２  蓋部分
20  平坦面
21  側壁
24、27  突出部
240、270  突出部
28  四分の一円形の凸条
３  連結部分
Ｌ  ラベル
【図１】
2019073316.tif 000003
【図２】
2019073316.tif 000004
【図３】
2019073316.tif 000005
【図４】
2019073316.tif 000006
【図５】
2019073316.tif 000007
【図６】
2019073316.tif 000008